(57)【要約】【課題】  基台底面全体の払拭布を万遍なく用いて効率よく、かつ、軽力で、水拭き作業をすることのできるモップ基台が望まれている。【解決手段】  モップ基台１は、払拭布１７が装着される基台部２と、基台部２の上面４に設けられて棒状の把手が連結される連結部とを備えてなり、基台部２の基台底面３に多数の突部１６，１６，１６，・・・が垂設されている。払拭布１７は前端部１７Ｅが基台部２の前端部２Ｅ側の上面４まで引き上げられて係止部１１，１１のピンチ片１３で挟持され、後端部１７Ｆも後端部２Ｆ側の上面４まで引き上げられて係止部１１，１１のピンチ片１３で挟持される。これにより、払拭布１７は基台底面３を下方から被った状態で基台部２に装着される。【選択図】      図５
2005103196.tif 000002
【特許請求の範囲】
【請求項１】
払拭布が基台底面を被った状態で装着される基台部と、基台部の上面に設けられて棒状の把手が連結される連結部とを備えてなり、基台部の基台底面に多数の突部が垂設されていることを特徴とするモップ基台。
【請求項２】
突部が、基台部の基台底面に植設されたブラシ毛材で構成されている請求項１に記載のモップ基台。
【発明の詳細な説明】
【技術分野】
【０００１】
本発明は、床などの水拭きに用いるモップのモップ基台に関するものである。
【背景技術】
【０００２】
従来、この種のモップとこのモップに用いられるモップ基台を図１１および図１２に示す。図示のモップ基台５１は、雑巾などの払拭布１７が装着される基台部５２と、基台部５２の上面５４に設けられて棒状の把手６が連結される連結部５とを備えている。基台底面５３は全面が平たんに形成されている。払拭布１７は水を絞られて基台底面５３を被う状態に配置され、基台部５２の上面５４の係止部（図示省略）によって前端部１７Ｅと後端部１７Ｆが係止される。水拭きに際して、利用者は把手６を持ち基台部５２を前後（矢印Ｃ方向および逆方向）に動かして払拭布１７で床上を拭く。このように基台部の底面が平たんに形成されているモップは、例えば下記の特許文献１に開示されている。
【０００３】
【特許文献１】登録実用新案第３００８００６号公報
【発明の開示】
【発明が解決しようとする課題】
【０００４】
ところで、上記のモップ基台５１は基台底面５３が平たんであるから、払拭布１７が底全体で床と接する。加えて、払拭布１７は濡れている。そのため、払拭布１７は床から大きな摩擦力を受けて払拭時の摺動抵抗が高くなる。従って、水拭き作業が重労働となる。特に、業務として水拭き作業をする場合は、払拭する床面積が広く汚れも著しいことが多いため、過酷な作業となる。
また、モップ基台５１は高い摺動抵抗を受けながら押し引きされるため、進行方向の後側端部が浮き上がって払拭布１７が床から離れ、進行方向の前側端部近傍で払拭布１７が床に接する。従って、払拭布１７はモップ基台５１の前端部５２Ｅ近傍の領域６０Ｅと、後端部５２Ｆ近傍の領域６０Ｆが黒く汚れ、残り部位はほとんど汚れない。このように残り部位の汚れが軽度であったとしても、前記した領域６０Ｅおよび領域６０Ｆにおける払拭布１７の汚れが著しくなると、清浄な払拭布１７と交換せざるを得ず、作業効率が低かった。
【０００５】
尚、乾いた紙製の払拭シートを平たんな基台底面に被せて使用する清掃具もよく知られている。しかしながら、かかる清掃具は、床に対して摩擦係数の低い紙製の払拭シートを用いることと、払拭シートを濡らさないことから、基台部の基台底面が平たんであっても極めて軽力で床上を摺動させることができる。そのため、払拭時の摺動抵抗を問題にするまでもなかった。
【０００６】
本発明は、上記した従来の問題点に鑑みてなされたものであって、基台底面全体の払拭布を万遍なく用いて効率よく、かつ、軽力で、水拭き作業をすることのできるモップ基台の提供を目的とする。
【課題を解決するための手段】
【０００７】
上記目的を達成するために、本発明に係るモップ基台は、払拭布が基台底面を被った状態で装着される基台部と、基台部の上面に設けられて棒状の把手が連結される連結部とを備えてなり、基台部の基台底面に多数の突部が垂設された構成にしてある。
【０００８】
また、前記構成において、突部が、基台部の基台底面に植設されたブラシ毛材で構成されたものである。
【発明の効果】
【０００９】
本発明に係るモップ基台は、水をふくんだ払拭布で基台部の基台底面を被った状態にして床などの水拭き作業に使用される。このとき、突部の存在により基台底面と払拭布の間に空間が生じ、これらの空間が払拭時に払拭布を床から逃がす空間となるため、床との間の摺動抵抗が格段と小さくなり、軽力で払拭することができる。このように軽力で払拭できるので、払拭布はほとんどの突部により床に押し付けられて汚れを拭き取る。すなわち、従来のように払拭布の偏った部位でなく、基台底面のほぼ全面にわたる払拭布を万遍なく使って効率よく水拭きすることができる。
【００１０】
また、突部をブラシ毛材で構成した場合は、ブラシ毛材自体が弾力性を有するので、たとえ薄手の払拭布を用いて床上に強く押し付けた場合でも床を傷つけない。そのうえ、床の溝内などにも払拭布が入り込めて隈なく掃除することができる。
【発明を実施するための最良の形態】
【００１１】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係るモップ基台の側面図、図２は前記モップ基台の係止部を示す一部側断面を含む拡大図、図３は前記モップ基台の底面図である。但し、図１１および図１２に示した従来のモップと同一の構成要素には、同一の符号を付すとともにその詳細な説明を省略することがある。
各図において、この実施形態に係るモップ基台１は、平面に見て方形板状の基台部２と、基台部２の上面４のほぼ中央部に立設された左右一対の連結部５，５と、基台部２の上面４に配備された布係止用の４つの係止部１１，１１，１１，１１と、基台部２の基台底面３から突出して垂設され基台底面３のほぼ全面にわたって適宜のピッチＰ１で前後左右に配置された多数の突部１６，１６，１６，・・・とからなっている。このモップ基台１において、基台部２は例えば合成樹脂を材料として突部１６，１６，１６，・・・および連結部５，５と一体に形成されている。
【００１２】
各突部１６は例えば円柱状に形成されていて、先端（下端）がいくぶん丸くされている。連結部５，５の内面には軸７が横架され、この軸７に玉継手８が回動自由に枢支されている。玉継手８の前後面に軸９，９がそれぞれ突設されている。これらの軸９，９に、把手６（把手部品６Ａ）下端の二股に分岐した垂脚部１０，１０が揺動自由に枢支されている。これにより、把手６が基台部２に前後左右揺動自由に連結されている。係止部１１（図２参照）は、基台部２の上面４に立設された一対の軸受部１２，１２と、これらの軸受部１２，１２に横架された軸１４と、軸１４に垂脚部１３Ａが前後揺動自由に枢支されたピンチ片１３と、軸１４に挿通されてピンチ片１３の挟持先端を基台部２の上面４に向けて（図２の矢印Ｄ方向）付勢するコイルバネ１５とから構成されている。
【００１３】
上記のモップ基台１は、図４に示すように、水拭き用のモップＭに使用される。この場合、先述の把手部品６Ａに把手部品６Ｂ，６Ｃ，６Ｄが順次連結されて把手６となっている。そこで、水洗いして絞った雑巾などの払拭布１７を床上に広げ、払拭布１７の前端部１７Ｅ側に基台部２の前端部２Ｅを配し、後端部１７Ｆ側に後端部２Ｆを配置するように、基台部２を払拭布１７上に置く。続いて、払拭布１７の前端部１７Ｅを前端部２Ｅ側の上面４まで引き上げて左右の係止部１１，１１のピンチ片１３で挟持させ、後端部１７Ｆも後端部２Ｆ側の上面４まで引き上げて左右の係止部１１，１１のピンチ片１３で挟持させる。これにより、図５に示すように、払拭布１７は基台部２の基台底面３を下方から被った状態で基台部２に装着される。
【００１４】
そこで、利用者はモップＭの把手６を手で持ち、モップ基台１を前後方向（矢印Ｃ方向および逆方向）に動かして床を水拭きする。このとき、突部１６，１６間では基台底面３と払拭布１７の間に空間ができ、これらの空間が払拭時に払拭布１７を上向きに逃がす空間となるため、床との間の摺動抵抗が格段と小さくなり、軽力で作業できる。同時に、広く散在する突部１６，１６，１６，・・・の先端が払拭布１７を床に押し付けるので、主に、突部１６，１６，１６，・・・周囲の領域１８，１８，１８，・・・で床上の汚れが拭き取られる。これは、領域１８，１８，１８，・・・における払拭布１７が他の部位よりも黒く汚れてくることから明らかである。すなわち、このモップ基台１は基台底面３のほぼ全面にわたる払拭布１７を万遍なく使って払拭できる。その結果、払拭布１７全体が汚れるまで十分に使い切って効率よく水拭き作業をすることができ、払拭布１７の交換頻度が従来と比べて減少する。
【００１５】
他方で、業務用のモップの場合、安価で、かつ、強い力の洗濯に多数回耐えるものでなければならないことから、雑巾は簡単な構成のものが要求される。そこで、このモップ基台１は係止部１１としてピンチ式のものを採用しているので、払拭布１７の種類を問わず払拭布１７を確実に挟持して使用できる。また、係止部１１がピンチ式であるから、払拭布１７の着脱や交換も簡単に行なうことができる。
【００１６】
尚、上記の実施形態では、比較的細かいピッチＰ１で突部１６、１６，１６，・・・を配置したが、本発明はそれに限定されるものでない。例えば、図６に示すモップ基台１ａのように、前記のピッチＰ１よりもかなり大きな左右ピッチＰ２と前後ピッチＰ３で、多数の突部１６ａ，１６ａ，１６ａ，・・・を基台部２の基台底面３に全面にわたって垂設したものでもよい。また、突部の径は特に限定されず、突部１６，１６ａよりも大径または小径に設定しても構わない。
【００１７】
あるいは、図７に示すモップ基台１ｂのように、前後に長い突条体の突部１６ｂ，１６ｂ，１６ｂ，・・・を左右ピッチＰ４で基台部２の基台底面３に全面にわたって多数垂設したものを採用することも可能である。
【００１８】
更に、別の実施形態に係るモップ基台１ｃを図８、図９に示す。このモップ基台１ｃが既述のモップ基台１と異なるところは、基台部２ａの基台底面３に植毛用の孔１９，１９，１９，・・・が多数形成されていることと、これらの孔１９，１９，１９，・・・にブラシ毛材２４が植設されこれらのブラシ毛材２４で突部１６ｃが構成されていることである。ところで、上記した剛体の突部１６ａ〜１６ｂを有するモップ基台１〜１ｂに薄手の払拭布を用いて、フローリングを水拭きすると、フローリングを傷つけることがある。しかしながら、このモップ基台１ｃによれば、ブラシ毛材２４からなる突部１６ｃ自体が弾力性を有しているので、フローリングに強く押し付けた場合でもフローリングを傷つけない。そのうえ、フローリングの木目の溝内にも柔軟に払拭布１７が入り込んできれいに掃除することができる。言い換えると、既述のモップ基台１〜１ｂに用いた払拭布１７よりも薄手の払拭布１７ａを使用することができる。因みに、このモップ基台１ｃでは、払拭布として、不織布からなる払拭シートを用いることも可能である。
【００１９】
また、図１０に示すモップ基台１ｄでは、基台部２の上面４の前端部２Ｅ寄りと後端部２Ｆ寄りにそれぞれ面ファスナ２２，２２が接着固定されている。基台部２の基台底面には多数の突部１６，１６，１６，・・・（図示省略）が垂設されている。払拭布１７ｂは基布２０の下面にパイルループ２１が織成されたパイル地で構成され、基布２０の上面の前端部１７Ｅ寄りと後端部１７Ｆ寄りに、前記の面ファスナ２２，２２と係脱可能に係合する面ファスナ２３，２３が縫着されている。
【００２０】
このモップ基台１ｄでは、基台部２を払拭布１７ｂの上面に載せ、払拭布１７ｂの前端部１７Ｅおよび後端部１７Ｆを基台部２の上面４まで引き上げて、前後の面ファスナ２３，２３を面ファスナ２２，２２にそれぞれ係合させる。これで、払拭布１７ｂの装着が簡単に完了する。
かかるパイルループ２１を有する払拭布１７ｂは床の水拭きおよびワックス掛けに使用される。一般に、ワックス掛けの際は大きな摺動抵抗を受けて重労働となる。しかしながら、本発明のモップ基台に払拭布１７ｂを装着したモップを用いると、多数の突部の作用によってワックス掛け時の摺動抵抗もかなり小さくなり、軽力でワックス掛け作業ができる。
【００２１】
ところで、上記のモップ基台１ｄの場合、面ファスナ２２はオス部材を有する面ファスナで構成し、面ファスナ２３はメス部材を有する面ファスナで構成してある。これにより、洗濯時に払拭布１７ｂが絡まったり、面ファスナに糸くずが付着したりすることが防止される。但し、かかる不具合を問題にしないのであれば、面ファスナ２２をメス部材の面ファスナで構成し、面ファスナ２３をオス部材の面ファスナで構成しても構わない。
【００２２】
また、既述したモップ基台１の突部１６、モップ基台１ａの突部１６ａ、またはモップ基台１ｂの突部１６ｂを基台部２とは別部品に構成し、これらをあらためて基台部２に取り付けるようにしてもよい。そして、これらの突部１６，１６ａ，１６ｂは、例えば金属、セラミック、ゴム、ブラシ毛材などの材料で構成しても構わない。
【００２３】
また、係止部としては、これまで例示したものに限らず、例えば、基台部の上面を軟質の合成樹脂で形成し、この上面に汎用の鉤状スリットを設け、この鉤状スリットに払拭布の端部を挿し込んで係止させるようにしてもよい。
【図面の簡単な説明】
【００２４】
【図１】本発明の一実施形態に係るモップ基台の側面図である。
【図２】前記モップ基台の係止部を示す一部側断面を含む拡大図である。
【図３】前記モップ基台の底面図である。
【図４】前記モップ基台を備えたモップを示す外観図である。
【図５】前記モップ基台に払拭布を装着した態様を示す側面図である。
【図６】本発明の別の実施形態に係るモップ基台の底面図である。
【図７】本発明の他の実施形態に係るモップ基台の底面図である。
【図８】本発明の更に別の実施形態に係るモップ基台の底面図である。
【図９】前記更に別のモップ基台に払拭布を装着した態様を示すもので図８におけるＡ−Ａ線矢視断面を含む側面図である。
【図１０】本発明の更に他の実施形態に係るモップ基台および払拭布を示す外観図である。
【図１１】従来のモップ基台を備えたモップを示す外観図である。
【図１２】前記従来のモップの底面図である。
【符号の説明】
【００２５】
１，１ａ，１ｂ，１ｃ，１ｄ  モップ基台
２，２ａ  基台部
３    基台底面
４    上面
５    連結部
６    把手
１６，１６ａ，１６ｂ，１６ｃ  突部
１７，１７ａ，１７ｂ  払拭布
２４  ブラシ毛材
【図１】
2005103196.tif 000003
【図２】
2005103196.tif 000004
【図３】
2005103196.tif 000005
【図４】
2005103196.tif 000006
【図５】
2005103196.tif 000007
【図６】
2005103196.tif 000008
【図７】
2005103196.tif 000009
【図８】
2005103196.tif 000010
【図９】
2005103196.tif 000011
【図１０】
2005103196.tif 000012
【図１１】
2005103196.tif 000013
【図１２】
2005103196.tif 000014